(57)【要約】【課題】少なくとも温熱治療手段と電位治療手段の運転を操作するものにおいて、比較的簡素な構成にて温熱・電位治療の運転状態を明確に行う事を目的とするものである。【解決手段】本発明は、電源スイッチ１３と、少なくとも温熱治療手段と電位治療手段の運転を各々制御する運転スイッチ１５，１６を備え、温熱治療手段や電位治療手段の動作を設定するものにおいて、電源スイッチがオン時でかつ温熱治療手段又は電位治療手段の運転スイッチがオフ時に点灯する「切」ランプ２１，２３を設けて成るものである。【選択図】　　図２
2004024284.tif 000002
【特許請求の範囲】
【請求項１】
電源スイッチと、少なくとも温熱治療手段と電位治療手段の運転を各々制御する運転スイッチを備え、上記温熱治療手段や電位治療手段の動作を設定するものにおいて、上記電源スイッチがオン時でかつ上記温熱治療手段又は上記電位治療手段の運転スイッチがオフ時に点灯する「切」ランプを設けた事を特徴とする電気治療器のコントローラ。
【請求項２】
上記温熱治療手段の運転スイッチのオン操作によって、上記温熱治療手段の温熱温度を選択設定する様に構成した事を特徴とする、上記請求項１に記載の電気治療器のコントローラ。
【請求項３】
上記電位治療手段の運転スイッチのオン操作によって、上記電位治療手段の電位の強さを選択設定する様に構成した事を特徴とする、上記請求項１〜２に記載の電気治療器のコントローラ。
【発明の詳細な説明】
【０００１】
【発明の属する技術分野】
本発明は、主に一般家庭で使用される温熱治療機能と電位治療機能とを備えた電気治療器のコントローラに関するものである。
【０００２】
【従来の技術】
一般家庭で使用される温熱・電位治療器では、例えば特開２０００−１１６７９９号公報や特開平８−２４３１７４号公報等にも示されている様に、温熱治療手段や電位治療手段への通電、これら手段の動作状態等を設定するコントローラを備えている。
【０００３】
一方、上記コントローラには必ず電源スイッチがあり、かつ一般的にはこの電源スイッチがオンされると点灯する電源ランプを備えているが、上記温熱治療手段や電位治療手段は、外観上動作しているかいないのか見分けられず、温熱治療手段においても、マットを触って暖かくても、前に使用していた場合には余熱により温度が上昇している場合もあり、運転状態が分かり難いという問題がある。
【０００４】
そこで、例えば運転時に点灯する運転ランプを設けても良いが、この場合、温熱治療の設定温度を選択設定したり、電位治療の電位の強さを選択設定出来る様に構成すると、設定温度や電位の強さを設定する操作ボタン以外に、運転の入・切操作を行う操作ボタンが必要となり、コントローラの大形化を招いたり、操作回数が増えるという問題がある。
【０００５】
【発明が解決しようとする課題】
そこで本発明は、比較的簡素な構成にて温熱・電位治療の運転状態を明確に行う事を目的とするものである。
【０００６】
【課題を解決するための手段】
本発明は、電源スイッチと、少なくとも温熱治療手段と電位治療手段の運転を各々制御する運転スイッチを備え、温熱治療手段や電位治療手段の動作を設定するものにおいて、電源スイッチがオン時でかつ温熱治療手段又は電位治療手段の運転スイッチがオフ時に点灯する「切」ランプを設けて成るものである。
【０００７】
又本発明は、温熱治療手段の運転スイッチのオン操作によって、温熱治療手段の温熱温度を選択設定する様に構成して成るものである。
【０００８】
更に本発明は、電位治療手段の運転スイッチのオン操作によって、電位治療手段の電位の強さを選択設定する様に構成して成るものである。
【０００９】
【発明の実施の形態】
本発明の実施例を先ず図１に基づき説明すると、１は電気カーペット等に使用される材料を用いたマットで、内部上方に図示しない電熱線を配線した上部温熱部２を内蔵していると共に、同じく内部下方に図示しない電熱線を配線した脚部温熱部３を内蔵し、かつこの脚部温熱部に重なる様に図示しない電位線を配線した電位治療部４を内蔵している。
【００１０】
５はコントローラで、接続コード６にて上記上部温熱部２や脚部温熱部３、電位治療部４に接続された制御回路７を内蔵していると共に、この制御回路は、上記上部温熱部２と脚部温熱部３への通電を制御する温熱回路８と、上記電位治療部４への通電を制御する電位回路９と、これら温熱回路と電位回路を制御する制御回路１０と、上記制御回路７等へ電力を供給する電源回路１１とから成り、この電源回路には電源ケーブル１２を接続している。
【００１１】
そして、上記制御回路７、上部温熱部２、脚部温熱部３を中心に温熱治療手段を構成し、同じく制御回路７、電位治療部４を中心に電位治療手段を構成している。
【００１２】
一方、上記コントローラ５の正面には、図２にて示す様に例えばシーソー式の電源スイッチ１３と、温熱治療の位置を、全身か脚部かに切替設定する自己復帰式の温熱切替スイッチ１４、同じく温熱治療時の設定温度を選択設定する温度調節スイッチ１５、同じく電位治療の強さを選択設定する電位調節スイッチ１６、同じく電位治療の時間を選択設定する電位時間設定スイッチ１７、上記電源スイッチ１３に近接配置した電源ランプ１８、上記温熱切替スイッチ１４の横に近接配置した温熱位置を表示する全身ランプ１９及び脚部ランプ２０、上記温度調節スイッチ１５の横に近接配置した温熱用切ランプ２１及び温熱設定温度を４段階に表示する温度ランプ２２・・、上記電位調節スイッチ１６の横に近接配置した電位用切ランプ２３及び電位の強さを３段階に表示する電位ランプ２４・・、上記電位時間設定スイッチ１７の横に近接配置した電位時間表示ランプ２５・・とを各々配設している。
【００１３】
尚、上記実施例にて示す各スイッチの形式や、温度調節スイッチ１５にて選択設定する温熱温度並びに電位調節スイッチ１６にて選択設定する電位の強さ等は上記実施例に限定するものではなく、適宜選択したり、必要に応じて増減すれは良い。
【００１４】
而して、先ず電源スイッチ１３をオンすることで、電源ランプ１８及び温熱用切ランプ２１、電位用切ランプ２３が点灯して、温熱治療及び電位治療が作動していないことを表示する。
【００１５】
そこで、例えば温熱治療を行う場合には、温熱切替スイッチ１４を操作して上部温熱部２と脚部温熱部３に通電する全身温熱を行うか、脚部温熱部３のみに通電して脚部温熱を行うかを選択設定した後、温度調節スイッチ１５をオン操作して温熱温度を選択設定することで、この選択設定と同時に温熱動作を開始する。
【００１６】
尚、温熱部位の設定に際しては、電源スイッチ１３のオン操作で全身ランプ１９が点灯し、全身温熱が初期設定される様に構成しても良いし、温熱切替スイッチ１４の最初のオン操作で全身ランプ１９又は脚部ランプ２０のどちらか一方が点灯し、その後のオン操作の毎に全身と脚部とを切替える様に構成しても良い。
【００１７】
又、温熱温度の設定に際しては、上記電源スイッチ１３のオン時には温熱用切ランプ２１を点灯して温熱治療を行わない状態とし、その後温度調節スイッチ１５をオン操作する毎に、「低」から「高」に向けて温度ランプ２２・・を切替え点灯して温熱設定温度を選択し、「高」の次に温熱用切ランプ２１を点灯して「切」操作を行う様に構成している。
【００１８】
一方、上記温熱治療時には、温熱回路８より上部温熱部２又は脚部温熱部３の図示しない発熱線に通電され、かつマット１の温度を上記温度調節スイッチ１５にて設定された温熱温度に維持する様に発熱線への通電量を制御する。
【００１９】
又、電位治療に際しては、上記電源スイッチ１３のオン時には電位用切ランプ２３を点灯して電位治療を行わない状態とし、その後電位調節スイッチ１６をオン操作する毎に、「切」−「弱」−「中」−「高」−「切」と切替り、「切」から「弱」に切替ると同時に電位治療部４に通電されて電位治療を開始する。
【００２０】
尚、上記電位治療時には、電位回路９よりここで出力した電位治療用の電圧（例えば−３００Ｖ，−４５０Ｖ，−６００Ｖ）が電位治療部４の図示しない電位線に供給される。
【００２１】
更に、電位時間設定スイッチ１７のオン操作により電位治療時間を例えば１時間、４時間、８時間に選択設定する事が出来る。
【００２２】
【発明の効果】
本発明の構成により、温熱治療手段や電位治療手段が作動していない場合に点灯する「切」ランプを設けたことで、温熱治療手段や電位治療手段の作動状態を、目視により簡単かつ確実に確認する事が出来るものである。
【００２３】
又本発明の構成により、温熱治療手段の運転スイッチの操作によって温熱温度を設定する様に構成したことで、温熱温度設定用の専用スイッチを設ける必要がなく、コントローラの小型化を計る事が出来ると共に、運転の開始や停止、温度設定を運転スイッチで行う事が出来、操作性を向上する事が出来るものである。
【００２４】
更に本発明の構成により、電位治療手段の運転スイッチのオン操作によって電位治療手段の電位の強さを設定する様に構成したことで、電位治療の強さを設定するための専用スイッチを設ける必要がなく、コントローラの小型化を計る事が出来ると共に、操作性を向上する事が出来るものである。
【図面の簡単な説明】
【図１】本発明を用いた電気治療器の実施例を示す概略図である。
【図２】同じくコントローラの正面図である。
【符号の説明】
１３　電源スイッチ
１５　運転スイッチ
１６　運転スイッチ
２１　「切」ランプ
２３　「切」ランプ
【図１】
2004024284.tif 000003
【図２】
2004024284.tif 000004